【事件の表示】
　特許第２８１１０８１号「パチンコ機の打球制御装置」の特許に対する特許異議の申立てについて、次のとおり決定する。
【結　論】
　訂正を認める。
　特許第２８１１０８１号の特許を維持する。
【理　由】
１．手続の経緯
　本件特許第２８１１０８１号の請求項１に係る出願は、平成１年４月２４日に特許出願され、平成１０年８月７日に特許の設定登録がなされ、その後、その特許について細江裕実より特許異議の申立てがなされ、取消理由通知がなされ、その指定期間内である平成１２年２月１５日に訂正請求（後日取下げ）がなされた後、再度取消理由通知がなされ、その指定期間内である平成１２年３月２３日に訂正請求がなされたものである。
２．訂正の適否についての判断
（１）訂正の内容
　特許権者が求めている訂正に内容は以下のａ〜ｈのとおりである。
訂正事項ａ　
　特許請求の範囲の請求項１を、「【請求項１】 駆動源としてソレノイドを使用してパチンコ球を遊技盤に打ち出す打球装置と、打球装置の打球力を調節する操作ハンドルと、該操作ハンドルが遊技者に把持されている時に打球装置を駆動させる駆動信号を発生させ、前記操作ハンドルが遊技者に把持されていない時には該駆動信号の発生を禁止する駆動回路と、を設けたパチンコ機の打球制御装置において、前記操作ハンドル内の空間部のプリント基板に設置した、少なくとも遊技者の対地容量を検出することに基づいて操作ハンドルが遊技者に把持されているか否かを判定するタッチ回路を含む駆動回路に打球力調節手段を設けたことを特徴とするパチンコ機の打球制御装置。」と訂正する。
訂正事項ｂ
　明細書第４頁第２０行〜第５頁第２行（特許公報第３欄４２行〜４４行）「本発明は上記目的を達成するために…１３，１４を設けた構成としている。」を、「本発明は上記目的を達成するために、パチンコ機の打球制御装置において、駆動源としてソレノイドを使用してパチンコ球を遊技盤に打ち出す打球装置と、打球装置の打球力を調節する操作ハンドルと、該操作ハンドルが遊技者に把持されている時に打球装置を駆動させる駆動信号を発生させ、前記操作ハンドルが遊技者に把持されていない時には該駆動信号の発生を禁止する駆動回路と、を設けたパチンコ機の打球制御装置において、前記操作ハンドル内の空間部のプリント基板に設置した、少なくとも遊技者の対地容量を検出することに基づいて操作ハンドルが遊技者に把持されているか否かを判定するタッチ回路を含む駆動回路に打球力調節手段を設けた構成としている。」と訂正する。
訂正事項ｃ
　明細書第５頁第３行〜第６頁第６行（特許公報第３欄４５行〜第４欄１４行）
「（作用）
　本発明は……省略される。
（実施例）
以下に、本発明の一実施例……主構成とする。操作ハンドル４は」を、
「（作用）
　本発明はこのように構成したものであるから、収容空間部（凹所）１４が駆動回路８に設けた打球力調節手段を収容することによって、操作ハンドル４と打球力調節手段とは一体に構成されるので、パチンコ機２における打球力調節手段の設置空間が不要となる。また、駆動回路には遊技者の対地容量を検出し、該検出容量に応じてタッチ回路を構成する共振回路を動作させる操作ハンドル４および駆動回路８とを接続する信号線も不要になり、同時に駆動回路８の取付作業、および両者間４，８における信号線の配線作業が省略される。
（実施例）
　以下に、発明の一実施例を図面に基いて詳細に説明する。第１図はパチンコ機の打球制御装置の要部を表わしており、本装置は第３図に示す電動式パチンコ機２の前枠３に取り付けられた操作ハンドル４の操作によってパチンコ球を遊技盤５に打ち出す打球装置、打球装置を駆動する駆動源（第４図、第５図参照）７、および駆動源７を駆動させる駆動信号が発生される駆動回路８を備えたプリント基板（第５図参照）９を主構成とする。
第１図において、操作ハンドル４は」と訂正する。
訂正事項ｄ
　明細書第１２頁第１４行（特許公報第４欄４１行）「タッチ回路５０」を、「第５図において、タッチ回路５０」と訂正する。
訂正事項ｅ
　明細書第１９頁第２行〜第４行（特許公報第６欄７行〜９行）「この場合、前記実施例における…に相当する。」を、削除する。
訂正事項ｆ
　明細書第２０頁第７行（特許公報第６欄３１行）「７ ７は回動盤１０に穿設した揺動孔７７で、」を、「７７は回動盤１０に穿設した摺動孔で、」と訂正する。
訂正事項ｇ
　明細書第１４頁１０行〜１１行（特許公報第５欄１７行）「動作ランプ５９」、明細書第１４頁１３行（特許公報第５欄１９行）「動作ランプ５ ９」、明細書第１４頁１７行〜１８行（特許公報第５欄２３行）「動作ランプ５９」、明細書１５頁３行（特許公報第５欄２７行〜２８行）「動作ランプ５９」、明細書１５頁４行（許公報第５欄２９行）「動作ランプ５ ９」を、それぞれ「動作表示ランプ５９」と訂正する。
訂正事項ｈ　
  第１図に「
１
（２）訂正の目的の適否、新規事項の有無及び拡張・変更の存否
（１）上記訂正事項aに関連する記載として、明細書第４頁２０行〜第5頁2行（特許公報第３欄４２行〜４４行には、「操作ハンドル4内に駆動回路８を設けた打球調節手段を収容する収容空間部(凹所)１３，１４を設ける」と記載され、明細書第６頁１行〜３行（特許公報第４欄１１行〜１３行）には、「駆動源８を駆動させる駆動信号が発生される駆動回路８を備えたプリント基板(第５図を参照)９を主構成とする」及び第1図、第2図等に記載されており、明細書第１２頁２行〜第１３頁１５行（特許公報第４欄３１行〜第５欄６行）には、「第４図は駆動回路８の要部と、その周辺回路の一部を表しており、駆動回路はタッチ回路５０とリレー５１とを主構成構成とする。駆動回路８は、操作ハンドル４が遊技者に把持されているか否かをタッチ回路５０によって判定し、・・・タッチ回路５０は、・・・帰還ループ回路５３、共振回路５４および感度調節回路５５よって閉回路を形成し、・・・帰還ループ回路５３は、遊技者が操作ハンドル４に手を近づけたときに変化する遊技者の対地容量を検出し、該検出容量に応じて共振回路５４を動作させる。」と記載されていたことからみて、
　上記訂正事項ａの「前記操作ハンドル内の空間部のプリント基板に設置した、少なくとも遊技者の対地容量を検出することに基づいて操作ハンドルが遊技者に把持されているか否かを判定するタッチ回路を含む駆動回路」の訂正は、特許明細書に記載された範囲内において「駆動回路」を限定したものといえるから、特許請求の範囲の減縮に該当するものであって、新規事項の追加に該当せず、また、実質上特許請求の範囲を拡張し、又は変更するものではなく、特許請求の範囲を減縮することを目的とするものである。
　上記訂正事項b、ｃによる訂正は、特許請求の範囲の訂正との整合を図るためのものであり、訂正事項ｄによる訂正は、明細書及び図面に記載されていた図面番号を発明の詳細な説明中に付加したものであり、訂正事項ｅの訂正は、本件発明に関係がない事項を削除するものであるので、明りょうでない記載の釈明を目的とするものであり、また、訂正事項ｆ、ｇによる訂正は、明細書の誤記を訂正するものであり、訂正事項ｈによる訂正は図面の誤記を訂正するものである。
（３）独立特許要件
（訂正明細書の請求項１に係る発明）
　訂正明細書の請求項１に係る発明は、その特許請求の範囲の請求項１に記載された次の事項により特定されるとおりのものである。
「駆動源としてソレノイドを使用してパチンコ球を遊技盤に打ち出す打球装置と、打球装置の打球力を調節する操作ハンドルと、該操作ハンドルが遊技者に把持されている時に打球装置を駆動させる駆動信号を発生させ、前記操作ハンドルが遊技者に把持されていない時には該駆動信号の発生を禁止する駆動回路と、を設けたパチンコ機の打球制御装置において、前記操作ハンドル内の空間部のプリント基板に設置した、少なくとも遊技者の対地容量を検出することに基づいて操作ハンドルが遊技者に把持されているか否かを判定するタッチ回路を含む駆動回路に打球力調節手段を設けたことを特徴とするパチンコ機の打球制御装置。」
（引用刊行物）
　訂正明細書の請求項１に係る発明の特許に対して、当審が取消理由で引用した刊行物１（特開昭６１−１２８９９９０号公報）には、公報第４頁左上欄１６行〜同頁右上欄に「グリップ１６の回動を電気信号に基づいてソレノイド３０を駆動し、そのプランじゃ３１によりパチンコ球を打撃するようにしたものである。すなわち、ケーシング２先端部内には可変抵抗器３２が設けられており、・・・支持部材８内には、該支持部材８と回転軸１３とによって保持されたタッチセンサ３４が設けられており、タッチセンサ３４の出力端は電源ＯＮ・ＯＦＦ回路３５に結線されている。」と記載され、公報第４頁右下欄１５行〜第５頁左上欄３行に「グリップ１６を遊技者側に向って回動させると、可変抵抗器３２の抵抗が変化する。・・・このため、スプリング３７の反発エネルギが大きくなり、パチンコ球に与える打撃力は大きくなる。」と記載されている。
　引用刊行物２（特開昭５８−６９５８７号公報）には、公報第３頁左上欄１０行〜１５行に「操作ハンドル２１は、第２図に示す通り、前方握手部２４と後方握手部２５とで狭持された操作レバー５を回動自在に構成してなる。後方握手部２５内には・・・可変抵抗器２７が取付けられており、」と記載され、公報第４頁左下欄８行〜１７行に「以上のように、本発明のパチンコ機の打球発射装置は、操作部として、操作レバーの回動の始まりにおいてＯＮするスイッチを有し、更にこのスイッチによりトリガーされるパルス発生回路からの出力パルスをロータリーソレノイドのトランジスタ駆動回路へ入力するに際し、上記可変抵抗器でそのパルスの大きさを単に調整するだけでなく、トランジスタ駆動回路の温度変化による駆動電力の変動を補償する回路を設けている。」と記載されている。
　刊行物３（実願昭６１−１７５６５４号（実開昭６３−７９９７８号）の全文明細書及び図面）には、実用新案登録の請求の範囲に「弾球用ハンドル本体（１）の遊技者の手に覆われる部分の外面に、受光量の変化を電気信号に変換できる光電素子（５）を取付けるとともに、この光電素子（５）の出力信号により弾球用モータ（３）のオンオフを行う制御回路部（８）を弾球用ハンドル本体（１）の内部に収納したことを特徴とするパチンコ機の弾球用ハンドル。」と記載されている。
（対比・判断）
　訂正明細書の請求項１に係る発明（以下、「本件請求項１に係る発明」という。）と刊行物１−刊行物３に記載された発明とを対比すると、刊行物１−刊行物３のいずれにも、本件請求項１に係る発明を特定する事項である「操作ハンドル内の空間部のプリント基板に設置した、少なくとも遊技者の対地容量を検出することに基づいて操作ハンドルが遊技者に把持されているか否かを判定するタッチ回路を含む駆動回路」が記載されていない。そして、当該事項により、本件請求項１に係る発明は、特許明細書に記載された「操作ハンドルと駆動回路とを接続する信号線を不要にし、打球力調節手段を含む駆動回路の設置空間を不要にすることができる」という格別顕著な効果を奏するものであり、本件請求項１に係る発明は、上記刊行物１−刊行物３記載のものから当業者が容易に発明をすることができたものではない。　
　また、当審が通知した平成１１年１１月２５日付け取消理由通知に記載した理由によっても、本件請求項１に係る発明が、特許出願の際独立して特許を受けることができないものとはいえない。
（むすび）
　以上のとおりであるから、上記訂正は特許法第１２０条の４第２項及び第３項において準用する特許法第１２６条第２項乃至第４項の規定に適合するので、当該訂正を認める。
３．特許異議申立てについて
（申立ての理由の概要）
　特許異議申立人細江裕実は、本件請求項１に係る発明は、甲第１号証に記載されているものであり特許法第２９条第１項第３号に該当し、また、甲第１号証に甲第２号証（甲第３号証又は甲第４号証）、或いは甲第２号証（甲第３号証）に甲第４号証を適用することにより、当業者が容易に発明をすることができたものであるから、特許法第２９条第２項の規定に該当し、これらにより特許を受けることができないものであり特許法第１１３条第２号の規定により取り消すべきものである旨主張している。
（本件発明）
　本件明は、上記２．（３）独立特許要件の（訂正明細書の請求項１に係る発明）に記載したとおりのものである。
（各甲号証について）
イ．甲第１号証
　甲第１号証である実願昭６０−１６１１７８号（実開昭６２−７０５７０号）の全文明細書および図面において、公報第３頁１０行〜１９行に「次に作用について説明する。遊技者は右手で筒状把持部５を把持して右に回動するとロータリーソレノイド２へのスイッチがオンし、ロータリーソレノイド２は間歇的に駆動され、打球杆７は間欠的に所定角度回動し順次打球する。この間筒状把持部５を回動するとロータリー可変抵抗器３が回動しロータリーソレノイド２への付勢力を制御し打球発射力を調整する」と記載されている。
ロ．甲第２号証乃至第４号証
甲第２号証乃至第４号証は、取消理由の通知で引用した刊行物であり、それぞれの記載事項は、上記２．（３）独立要件の（引用刊行物）の項で述べたとおりである。　　　　　　　
ハ．甲第５号証
　甲第５号証である実願昭６０−１９０６４１号（実開昭６２−９９２８１号）の全文明細書および図面において、公報第１９頁１６行〜１９行に「前握手部材８０は、全体として椀状をなす中空体８１と、該中空体の裏面側（開放側）に当接させた軸受盤８２とから成り、中空体８１と軸受け盤８２は、ネジ８３により分離可能に一体的に結合されている。」と記載され、公報第２１頁９行〜１５行に「中空体８１の内部には、照明ランプ８８を担持したプリント基板８８Ａが、中空体８１の後壁に設けたボス８１Ａに取り付けられている。照明ランプ８８からリード線８８Ｂは、中空体８１の裏面の開口８１Ｂ（第７図）から軸受け盤８２の開口８２Ｂを通して回動操作部材７０側に引き出される。」と記載されている。
（対比・判断）
　本件請求項１に係る発明と各甲号証にそれぞれ記載された発明とを対比すると、甲１号証〜甲第４号証のいずれにも、本件請求項１に係る発明を特定する事項である「操作ハンドル内の空間部のプリント基板に設置した、少なくとも遊技者の対地容量を検出することに基づいて操作ハンドルが遊技者に把持されているか否かを判定するタッチ回路を含む駆動回路」が記載されておらず、また、甲第５号証には、「照明ランプ８８を担持したプリント基板８８Ａ」が記載されているだけであり、甲第５号証に記載されたプリント基板は、本件請求項１に記載された「少なくとも遊技者の対地容量を検出することに基づいて操作ハンドルが遊技者に把持されているか否かを判定するタッチ回路を含む駆動回路」を有するプリント基板ではない。
　そして、本件請求項１に係る発明は、特許明細書に記載されたとおりの作用効果を奏するものである。
　したがって、本件請求項１に係る発明は、甲第１号証乃至甲第５号証に記載された発明に基づいて当業者が容易に発明をすることができたものではなく、特許異議申立人の主張は採用しない。
４．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１２年４月２６日（２０００．４．２６）
【訂正の要旨】
（訂正の要旨）
訂正事項ａ
　特許請求の範囲の請求項１を、「【請求項１】駆動源としてソレノイドを使用してパチンコ球を遊技盤に打ち出す打球装置と、打球装置の打球力を調節する操作ハンドルと、該操作ハンドルが遊技者に把持されている時に打球装置を駆動させる駆動信号を発生させ、前記操作ハンドルが遊技者に把持されていない時には該駆動信号の発生を禁止する駆動回路と、を設けたパチンコ機の打球制御装置において、前記操作ハンドル内の空間部のプリント基板に設置した、少なくとも遊技者の対地容量を検出することに基づいて操作ハンドルが遊技者に把持されているか否かを判定するタッチ回路を含む駆動回路に打球力調節手段を設けたことを特徴とするパチンコ機の打球制御装置。」と訂正する。
訂正事項ｂ
　明細書第４頁第２０行〜第５頁第２行（特許公報第３欄４２行〜４４行）「本発明は上記目的を達成するために…１３，１４を設けた構成としている。」を、「本発明は上記目的を達成するために、パチンコ機の打球制御装置において、駆動源としてソレノイドを使用してパチンコ球を遊技盤に打ち出す打球装置と、打球装置の打球力を調節する操作ハンドルと、該操作ハンドルが遊技者に把持されている時に打球装置を駆動させる駆動信号を発生させ、前記操作ハンドルが遊技者に把持されていない時には該駆動信号の発生を禁止する駆動回路と、を設けたパチンコ機の打球制御装置において、前記操作ハンドル内の空間部のプリント基板に設置した、少なくとも遊技者の対地容量を検出することに基づいて操作ハンドルが遊技者に把持されているか否かを判定するタッチ回路を含む駆動回路に打球力調節手段を設けた構成としている。」と訂正する。
訂正事項ｃ
　明細書第５頁第３行〜第６頁第６行（特許公報第３欄４５行〜第４欄１４行）
「（作用）
　本発明は……省略される。
（実施例）
以下に、本発明の一実施例……主構成とする。操作ハンドル４は」を、
「（作用）
　本発明はこのように構成したものであるから、収容空間部（凹所）１４が駆動回路８に設けた打球力調節手段を収容することによって、操作ハンドル４と打球力調節手段とは一体に構成されるので、パチンコ機２における打球力調節手段の設置空間が不要となる。また、駆動回路には遊技者の対地容量を検出し、該検出容量に応じてタッチ回路を構成する共振回路を動作させる操作ハンドル４および駆動回路８とを接続する信号線も不要になり、同時に駆動回路８の取付作業、および両者間４，８における信号線の配線作業が省略される。
（実施例）　以下に、本発明の一実施例を図面に基いて詳細に説明する。第１図はパチンコ機の打球制御装置の要部を表わしており、本装置は第３図に示す電動式パチンコ機２の前枠３に取り付けられた操作ハンドル４の操作によってパチンコ球を遊技盤５に打ち出す打球装置、打球装置を駆動する駆動源（第４図、第５図参照）７、および駆動源７を駆動させる駆動信号が発生される駆動回路８を備えたプリント基板（第５図参照）９を主構成とする。
第１図において、操作ハンドル４は」と訂正する。
訂正事項ｄ
　明細書第１２頁第１４行（特許公報第４欄４１行）「タッチ回路５０」を、「第５図において、タッチ回路５０」と訂正する。
訂正事項ｅ
　明細書第１９頁第２行〜第４行（特許公報第６欄７行〜９行）「この場合、前記実施例における…に相当する。」を、削除する。
訂正事項ｆ
　明細書第２０頁第７行（特許公報第６欄３１行）「７７は回動盤１０に穿設した揺動孔７７で、」を、「７７は回動盤１０に穿設した摺動孔で、」と訂正する。
訂正事項ｇ
　明細書第１４頁１０行〜１１行（特許公報第５欄１７行）「動作ランプ５９」、明細書第１４頁１３行（特許公報第５欄１９行）「動作ランプ５９」、明細書第１４頁１７行〜１８行（特許公報第５欄２３行）「動作ランプ５９」、明細書１５頁３行（特許公報第５欄２７行〜２８行）「動作ランプ５９」、明細書１５頁４行（許公報第５欄２９行）「動作ランプ５９」を、それぞれ「動作表示ランプ５９」と訂正する。
訂正事項ｈ
　第１図に「
１
（５４）【発明の名称】
パチンコ機の打球制御装置
（５７）【特許請求の範囲】
　【請求項１】　駆動源としてソレノイドを使用してパチンコ球を遊技盤に打ち出す打
球装
　打球装置の打球力を調節する操作ハンドルと、
　該操作ハンドルが遊技者に把持されている時に打球装置を駆動させる駆動信号を発生させ
、
を設けたパチンコ機の打球制御装置において、
　前記操作ハンドル内の空間部
のプリント基板
、少なくとも遊技者の対地容量を検出することに基づいて操作ハンドルが遊技者に把持されているか否かを判定するタッチ回路を含む
【発明の詳細な説明】
（産業上の利用分野）
　本発明は、遊技盤面にパチンコ球を打出すパチンコ機の打球制御装置の改良に関する。
（従来の技術）
　パチンコ球を遊技盤に打出すパチンコ機の打球制御装置には電動式のものと手動式のものとがあり、前者の場合、駆動源にはモータまたはソレノイドが使用されている。このような装置は上記駆動源のほか、駆動源によってパチンコ球を打球する打球槌、駆動源を駆動する駆動信号を発生させる駆動回路、および前枠下方に貫通させて固定された操作ハンドルを主構成としている。
　操作ハンドルは把持部を前枠から表側、すなわち遊技者側に突出配置してあり、遊技者が把持しうる一部を電気的な導通が良好な材料（たとえば、鉄など）によって構成している。駆動回路はこれらを構成する各種電子部品を実装したプリント基板によって構成され、このプリント基板は前枠の操作ハンドルに対してほぼ裏側に固定する。また、駆動回路には周知のタッチ回路が設けてあり、タッチ回路の入力端子と、操作ハンドルの把持部とは信号線によって接続されている。
　このため、駆動回路と操作ハンドルとは電気的に導通するので、駆動回路は操作ハンドルを遊技者が把持しているか否かを検出し、遊技者が操作ハンドルを把持しているかを検知することができる。そして、駆動回路は、操作ハンドルが遊技者に把持されているときに上記駆動信号を発生させる一方、操作ハンドルが遊技者に把持されていないときには該駆動信号の発生を禁止する。これにより、パチンコ機の打球制御装置は、遊技者が操作ハンドルを把持している場合のみ、駆動源は打球槌を動作させパチンコ球を遊技盤に打出し、パチンコ遊技を可能にする。なお、タッチ回路の感度を調節するときには、前枠を外枠に対して開放状態にしたのち、駆動回路のプリント基板をドライバなどによって操作する。
　従来、駆動回路と操作ハンドルとを一体に設けたパチンコ機の打球制御装置として、実開昭６３−７９９７８号公報に記載されたものがある。しかし、上記先行技術を含む従来のものは、パチンコ球を遊技盤に打ち出すための打球力調節手段を駆動回路とは別個に設けていた。
（発明が解決しようとする課題）
　これにより、パチンコ機の打球制御装置を組み立てるときには、打球力調節手段を含む駆動回路と操作ハンドルと別個に取り付けた後、更に両者を信号線で接続しなければならない。このために、操作ハンドルと駆動回路とを接続する作業や、この駆動回路が設けられたプリント基板をパチンコ機の裏面に取付ける作業などに多くの時間を要し、作業性が悪い。また、パチンコ機には上記プリント基板の設置空間を設けなければならない。このため、パチンコ機の操作ハンドル近傍における設計作業に制限が付与され、設計作業の能率低下を招くという問題があった。
　そこで、本発明は操作ハンドルに打球力調節手段を含む駆動回路を内蔵することによってコンパクト化し、また操作ハンドルおよび駆動回路間に設ける信号線の接続作業や、駆動回路のパチンコ機裏面または本体への取付作業を不要にすると同時に、パチンコ機の設計上制限を緩和したパチンコ機の制御装置の提供を目的としている。
（課題を解決するための手段）
　本発明は上記目的を達成するために、
パチンコ機の打球制御装置において、駆動源としてソレノイドを使用してパチンコ球を遊技盤に打ち出す打球装置と、打球装置の打球力を調節する操作ハンドルと、該操作ハンドルが遊技者に把持されている時に打球装置を駆動させる駆動信号を発生させ、前記操作ハンドルが遊技者に把持されていない時には該駆動信号の発生を禁止する駆動回路と、を設けたパチンコ機の打球制御装置において、前記操作ハンドル内の空間部のプリント基板に設置した、少なくとも遊技者の対地容量を検出することに基づいて操作ハンドルが遊技者に把持されているか否かを判定するタッチ回路を含む駆動回路に打球力調節手段を
（作用）
　本発明はこのように構成したものであるから、収容空間部（凹所）１４が駆動回路８に設けた打球力調節手段を収容することによって、操作ハンドル４と打球力調節手段とは一体に構成されるので、パチンコ機２における打球力調節手段の設置空間が不要となる。また、
駆動回路には遊技者の対地容量を検出し、該検出容量に応じてタッチ回路を構成する共振回路を動作させる
（実施例）
　以下に、本発明の一実施例を図面に基いて詳細に説明する。第１図は、パチンコ機の打球制御装置の要部を表しており、本装置は第
３
（第４図、第５図参照）
　第１図において、
　キャップブラケット１５は合成樹脂によって形成され、プリント基板９およびゴムシート１６を収容する収容凹所（図示省略）が穿設してある。キャップブラケット１５の表面には電気的な導通が良好な材料によりめっき加工を施している。ゴムシート１６はキャップブラケット１５とプリント基板９とを電気的に絶縁するとともに、キャップブラケット１５との装着状態を良好にするためのものである。
　第４図は駆動回路８の要部と、その周辺回路の一部を表しており、駆動回路８はタッチ回路５０とリレー５１とを主構成とする。駆動回路８は、操作ハンドル４が遊技者に把持されているか否かをタッチ回路５０によって判定し、把持されている場合にはリレー５１の接点を閉成することによって、駆動源７に電力供給回路５２から電力（駆動信号）を供給する。他方、操作ハンドル４が遊技者に把持されていないときには電力の供給を停止する。なお、駆動源７がソレノイドである場合、駆動回路８は駆動信号としてパルス信号を発生させる。
　第５図において、
　帰還ループ回路５３にはキャップブラケット１５が接続してあり、帰還ループ回路５３は、遊技者が操作ハンドル４に手を近づけたときに変化する遊技者の対地容量を検出し、該検出容量に応じて共振回路５４を動作させる。この動作により、共振回路５４は所定周波数で発振し、この発振信号は上記閉回路をループする一方、共振回路５４は発振信号が動作していること、すなわち遊技者の手が操作ハンドル４に近接したことを表す検知信号を増幅回路５６に継続して入力する。このとき、帰還ループ回路５３は上記閉回路をループしている発振信号の減衰分を増幅することにより補っている。
　また、感度調節回路５５は帰還ループ回路５３の動作条件を変化させるためのもので、可変コンデンサを主構成としている。増幅回路５６は共振回路５４から入力される上記検知信号に基いて、リレー５１と動作
表示
表示
　これにより、遊技者が手を操作ハンドル４に近接させると、リレー５１は常開接点を閉成して駆動源７に継続的に電力を供給し、同時に動作
表示
表示
表示
　電力供給回路５２には第４図に示すように、受給プラグ６０と供給プラグ６１とが接続してあり、受給プラグ６０は交流２４ｖの電力を受給し、受給された電力は本装置と、供給プラグ６１を経て前記制御回路とに供給され、さらにパチンコ機２の各部にゆきわたる。６２は動作中の駆動源７を一時的に停止させる発射制御スイッチで、発射制御スイッチ６２は受給プラグ６０と駆動源７との間に接続されている。この発射制御スイッチ６２は常閉接点を
備え
　また、６７はヒューズ、６８は商品球の不足を検出する球切スイッチ、６９はパチンコ遊技の完了状態を検出する完了スイッチ、７０は入賞状態を検出する入賞スイッチである。そして、７１は完了状態を点灯表示する完了ランプ、７２は入賞状態を点灯表示する入賞ランプである。さらに、８２は図示を省略したホストコンピュータに接続するための端子盤である。
　駆動源７にソレノイドを使用した場合を第１図および第２図に基づいて、以下に説明する
。
　本実施例に係るパチンコ機の打球制御装置１にあっては、回動盤１０と回動シャフト７３とをインサート成形し、回動シャフト７３を軸受孔としての誘導孔２２に回動自在に設けてある。また、回動シャフト７３の途中にはプリント基板９、回動盤１０およびゴムシート１６を回動自在に取付け、さらに回動シャフト７３の先端部に、破線部で示すボリューム７４の動作軸７５を固着している。このため、プリント基板９、回動盤１０およびガムシート１６は、回動ボス１９の先端部とボリューム７４との間に支持されることになる。
　回動ボス１９にはコイルスプリング７６が装着してあり、コイルスプリング７６は一端を回動盤１０に他端をグリップベース１１に固定することによって、遊技者の操作に抗する力を回動盤１０に付勢している。また、通常時、コイルスプリング７６は回動盤１０を、第３図中反時計方向に付勢し、このときボリューム７４の抵抗値は最大になる。他方、遊技者がコイルスプリング７６に抗して回動盤１０を時計方向に回動させると動作軸７５が回動され、この回動角が大きくなるにつれてボリューム７４の抵抗値は減少する。すなわち、ボリューム７４は、打球力を調節する手段として設けられている。
　７７は回動盤１０に穿設した摺動
孔で
　このように構成された装置１においては、キャップブラケット１５と駆動回路８とを接続する信号線が不要になると同時に、操作ハンドル４および駆動回路８間における信号線２１の配線作業が省略され、さらにはパチンコ機２における打球力調節手段を含む駆動回路８の設置空間が不要になる。
さらに、本実施例においては、打球力を調節するボリューム７４をプリント基板９側に設けた場合を説明したが、これに限定されるものではなく、第６図および第７図に示すように、ボリューム７４をグリップベース１１側に設けてもよい。この場合には、グリップベース１１の支柱部１７内にボリューム７４を収容する収容ボスを突設し、ボリューム７４の動作軸７５を回動シャフト７３の軸線と平行に配置して設ければよい。なお、第６図および第７図において、プリント基板９、キャップブラケット１５およびゴムシート１６は上記実施例と同様に設けてあるが、これらの図示は省略している。８１はプリント基板９をねじ３１止めする支持ボスである。
　このように構成された装置１においても、前記実施例と同様に、キャップブラケット１５と駆動回路８とを接続する信号線が不要になると同時に、操作ハンドル４および駆動回路８間における信号線２１の配線作業が省略され、さらにはパチンコ機２における駆動回路８の設置空間が不要になるとともに、グリップベース１１側の支柱部１７内の空間を有効に活用することができる。
（発明の効果）
　本発明は上記のように構成したものであるから、駆動回路上に設けた打球力調節手段を操作ハンドル内に収容することにより、操作ハンドルと駆動回路とを接続する信号線を不要にし、同時にパチンコ機における打球力調節手段を含む駆動回路の設置空間を不要にすることができる。このため、パチンコ機の組立作業、保守作業が容易になるとともに、パチンコ機の設計上の制限が緩和されるので、これらの作業性および生産性が向上する。
【図面の簡単な説明】
　第１図は本発明の一実施例を示す断面図、第２図は第１図のものの正面図、第３図は本発明の装置を設けたパチンコ機の正面図、第４図は操作ハンドルに収容された駆動回路の構成を示す回路図、第５図は第４図の回路の一部を構成するタッチ回路を示すブロック図、第６図は第１図に示すものとは異なる実施例を示す断面図、第７図は第６図のものの正面図である。
１……パチンコ機の打球制御装置
２……パチンコ機
４……操作ハンドル
５……遊技盤
６……打球装置
８……駆動回路
１３，１４……凹所（収容空間部）
【図面】